(57)【要約】本出願は、データを制御プレーンソリューションからユーザプレーンソリューションにスイッチするためにユーザプレーンベアラ設定方法及びデバイスを開示する。本願の方法によれば、サービングゲートウェイは、モビリティ管理エンティティによって送信された指示情報を受信し、Ｓ１インタフェースユーザプレーンベアラを設定するように、その指示情報に従ってベアラに識別子を割り当てる。データは、ユーザプレーンベアラの設定により、制御プレーンソリューションからユーザプレーンソリューションに切り替えられることができる。
2019517756.tif 000002
【特許請求の範囲】
【請求項１】
サービングゲートウェイ（Ｓ−ＧＷ）であって、
モビリティ管理エンティティ（ＭＭＥ）から第１のメッセージを受信するように構成された受信機であって、前記第１のメッセージは第１の指示を搬送し、前記第１の指示は第１の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラである、受信機と、
前記第１の指示に従って前記第１の識別子を前記ＵＥの前記第１のＥＰＳベアラに割り当てるように構成されるプロセッサと、
第１の応答メッセージを前記ＭＭＥに送信するように構成された送信機であって、前記第１の応答メッセージは前記第１の識別子を搬送する、送信機と
を備える、サービングゲートウェイ。
【請求項２】
前記第１のメッセージは第１のＥＰＳベアラ識別（ＥＢＩ）を含み、前記第１のＥＢＩは、前記第１の識別子を前記第１のＥＢＩに対応するＥＰＳベアラに割り当てるために前記Ｓ−ＧＷによって使用される、
請求項１に記載のサービングゲートウェイ。
【請求項３】
前記第１のメッセージはベアラ修正要求であり、
前記第１の応答メッセージはベアラ修正応答である、
請求項１又は２に記載のサービングゲートウェイ。
【請求項４】
前記第１のメッセージはアクセスベアラ修正要求であり、
前記第１の応答メッセージはアクセスベアラ修正応答である、
請求項１又は２に記載のサービングゲートウェイ。
【請求項５】
前記第１のメッセージはアクセスベアラリリース要求であり、
前記第１の応答メッセージはアクセスベアラリリース応答である、
請求項１又は２に記載のサービングゲートウェイ。
【請求項６】
前記第１のメッセージはセッション生成要求であり、
前記第１の応答メッセージはセッション生成応答である、
請求項１又は２に記載のサービングゲートウェイ。
【請求項７】
前記ＵＥの前記第１のＥＰＳベアラのベアラ環境を記憶するように構成されたメモリをさらに備える、
請求項１〜６のいずれか一項に記載のサービングゲートウェイ。
【請求項８】
前記プロセッサは、前記第１の識別子を前記第１のＥＢＩに対応する前記ＥＰＳベアラに割り当てるように構成される、
請求項１〜７のいずれか一項に記載のサービングゲートウェイ。
【請求項９】
第１のパラメータの値が事前設定条件を満たすときに前記第１の識別子を前記第１のＥＢＩに対応する前記ＥＰＳベアラに割り当てる前記ステップは、
前記第１のパラメータがチェンジＦ−ＴＥＩＤサポート指示パラメータとＳ１１−Ｕトンネルフラグとを含む場合、前記チェンジＦ−ＴＥＩＤサポート指示パラメータの値が１に設定され、かつ前記Ｓ１１−Ｕトンネルフラグパラメータの事前設定値が０のときに、前記Ｓ−ＧＷによって、前記第１の識別子を前記第１のＥＢＩに対応する前記ＥＰＳベアラに割り当てるステップを、又は
前記第１のパラメータがＳ１１−Ｕトンネルフラグを含む場合、前記Ｓ１１−Ｕトンネルフラグパラメータの値が１に設定されているとき、前記Ｓ−ＧＷによって、前記第１の識別子を前記第１のＥＢＩに対応する前記ＥＰＳベアラに割り当てるステップを、又は
前記第１のパラメータが、前記ＵＥのＥＢＩに対応するベアラがＳ１１−ＵベアラからＳ１−Ｕベアラに切り替えられる必要があることを示すために使用される新たに定義された指示情報である場合、前記新たに定義された指示情報の値が１に設定されているとき、前記第１の識別子を前記第１のＥＢＩに対応する前記ＥＰＳベアラに割り当てるステップをを含む、
請求項８に記載のサービングゲートウェイ。
【請求項１０】
前記受信機はさらに、前記Ｓ−ＧＷが前記ＭＭＥから前記第１のメッセージを受信する前に、前記ＭＭＥから第２のメッセージを受信するように構成され、前記第２のメッセージは、前記ＭＭＥと前記Ｓ−ＧＷとの間のＳ１１インタフェースデータプレーンベアラをリリースするように前記Ｓ−ＧＷに指示するために使用され、
前記プロセッサは、前記第２のメッセージに従って、前記ＭＭＥと前記Ｓ−ＧＷとの間の前記Ｓ１１インタフェースデータプレーンベアラをリリースするように構成され、
前記送信機は、第２の応答メッセージを前記ＭＭＥに送信するように構成される、
請求項１〜９のいずれか一項に記載のサービングゲートウェイ。
【請求項１１】
前記第１の応答メッセージは第２の識別子をさらに含み、前記第２の識別子は、前記ＵＥに対する第１のＳ１１インタフェースユーザプレーンベアラを設定するために使用され、前記第１のＳ１１インタフェースユーザプレーンベアラは、前記Ｓ−ＧＷと前記ＭＭＥとの間のベアラである、
請求項１〜１０のいずれか一項に記載のサービングゲートウェイ。
【請求項１２】
モビリティ管理エンティティ（ＭＭＥ）であって、
第１のメッセージをサービングゲートウェイ（Ｓ−ＧＷ）に送信するように構成された送信機であって、前記第１のメッセージは第１の指示を搬送し、前記第１の指示は第１の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラである、送信機と、
第１の応答メッセージを前記Ｓ−ＧＷから受信するように構成された受信機であって、前記第１の応答メッセージは前記第１の識別子を搬送する、受信機と
を備える、ＭＭＥ。
【請求項１３】
前記第１のメッセージは第１のＥＰＳベアラ識別（ＥＢＩ）を含む、
請求項１２に記載のＭＭＥ。
【請求項１４】
前記プロセッサは、Ｓ１１インタフェースユーザプレーンベアラからＳ１インタフェースユーザプレーンベアラへの切り替えが必要であると判断すると、前記第１の指示に含まれる第１のパラメータを事前設定条件を満たす値に設定するように構成され、
前記送信機は、前記第１のパラメータを前記Ｓ−ＧＷに送信するように構成される、
請求項１２又は１３に記載のＭＭＥ。
【請求項１５】
前記プロセッサが前記第１の指示に含まれる第１のパラメータを事前設定条件を満たす値に設定するように構成されることは、
前記第１のパラメータがチェンジＦ−ＴＥＩＤサポート指示パラメータとＳ１１−Ｕトンネルフラグとを含む場合、前記プロセッサは、前記チェンジＦ−ＴＥＩＤサポート指示パラメータの値を１に設定し、前記Ｓ１１−Ｕトンネルフラグパラメータの値を０に設定するように構成される、又は
前記第１のパラメータがＳ１１−Ｕトンネルフラグを含む場合、前記プロセッサは、前記Ｓ１１−Ｕトンネルフラグパラメータの値を１に設定するように構成される、又は
前記第１のパラメータが、前記ＵＥのＥＢＩに対応するベアラがＳ１１−ＵベアラからＳ１−Ｕベアラに切り替えられる必要があることを示すために使用される新たに定義された指示情報である場合、前記プロセッサは、前記新たに定義された指示情報の値を１に設定するように構成される、
請求項１４に記載のＭＭＥ。
【請求項１６】
前記送信機は、前記ＭＭＥが前記第１のメッセージを前記Ｓ−ＧＷに送信する前に、第２のメッセージを前記Ｓ−ＧＷに送信するように構成され、前記第２のメッセージは、前記ＭＭＥと前記Ｓ−ＧＷとの間のＳ１１インタフェースデータプレーンベアラをリリースするように前記Ｓ−ＧＷに指示するために使用され、
前記受信機は、第２の応答メッセージを前記Ｓ−ＧＷから受信するように構成される、
請求項１２〜１５いずれか一項に記載のＭＭＥ。
【請求項１７】
前記送信機は、前記第１の識別子を前記ｅＮＢに送信するように構成される、
請求項１２〜１６のいずれか一項に記載のＭＭＥ。
【請求項１８】
請求項１〜１１のいずれか一項に記載の前記Ｓ−ＧＷと、請求項１２〜１７のいずれか一項に記載の前記ＭＭＥとを備えたユーザプレーンベアラ設定システム。
【請求項１９】
サービングゲートウェイ（Ｓ−ＧＷ）により、モビリティ管理エンティティ（ＭＭＥ）から第１のメッセージを受信するステップであって、前記第１のメッセージは第１の指示を搬送し、前記第１の指示は第１の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラである、ステップと、
前記Ｓ−ＧＷにより、前記第１の指示に従って前記第１の識別子を前記ＵＥの前記第１のＥＰＳベアラに割り当てるステップと、
前記Ｓ−ＧＷにより、第１の応答メッセージを前記ＭＭＥに送信するステップであって、前記第１の応答メッセージは前記第１の識別子を搬送する、ステップと
を含む、ユーザプレーンベアラ設定方法。
【請求項２０】
前記第１のメッセージは第１のＥＰＳベアラ識別（ＥＢＩ）を含み、前記第１のＥＢＩは、前記第１の識別子を前記第１のＥＢＩに対応するＥＰＳベアラに割り当てるために前記Ｓ−ＧＷによって使用される、
請求項１９に記載の方法。
【請求項２１】
前記第１のメッセージはベアラ修正要求であり、
前記第１の応答メッセージはベアラ修正応答である、
請求項１９又は２０に記載の方法。
【請求項２２】
前記第１のメッセージはアクセスベアラ修正要求であり、
前記第１の応答メッセージはアクセスベアラ修正応答である、
請求項１９又は２０に記載の方法。
【請求項２３】
前記第１のメッセージはアクセスベアラリリース要求であり、
前記第１の応答メッセージはアクセスベアラリリース応答である、
請求項１９又は２０に記載の方法。
【請求項２４】
前記第１のメッセージはセッション生成要求であり、
前記第１の応答メッセージはセッション生成応答である、
請求項１９又は２０に記載の方法。
【請求項２５】
前記Ｓ−ＧＷは、前記ＵＥの前記第１のＥＰＳベアラのベアラ環境を記憶する、
請求項１９〜２４のいずれか一項に記載の方法。
【請求項２６】
前記Ｓ−ＧＷにより、前記第１の識別子を前記第１の指示に従って前記ＵＥの前記第１のＥＰＳベアラに割り当てる前記ステップは、
前記第１の指示に含まれる第１のパラメータの値が事前設定条件を満足すると前記Ｓ−ＧＷが判断する場合、前記Ｓ−ＧＷにより、前記第１の識別子を前記第１のＥＢＩに対応する前記ＥＰＳベアラに割り当てるステップを含む、
請求項１９〜２５のいずれか一項に記載の方法。
【請求項２７】
前記第１の指示に含まれる前記第１のパラメータの前記値が前記事前設定条件を満足すると前記Ｓ−ＧＷが判断する場合、前記方法は、
前記第１のパラメータがチェンジＦ−ＴＥＩＤサポート指示パラメータとＳ１１−Ｕトンネルフラグとを含む場合、前記チェンジＦ−ＴＥＩＤサポート指示パラメータの値が１に設定されかつ前記Ｓ１１−Ｕトンネルフラグパラメータの事前設定値が０のときに、前記Ｓ−ＧＷによって、前記第１の識別子を前記第１のＥＢＩに対応する前記ＥＰＳベアラに割り当てるステップを、又は
前記第１のパラメータがＳ１１−Ｕトンネルフラグを含む場合、前記Ｓ１１−Ｕトンネルフラグパラメータの値が１に設定されているとき、前記Ｓ−ＧＷによって、前記第１の識別子を前記第１のＥＢＩに対応する前記ＥＰＳベアラに割り当てるステップを、又は
前記第１のパラメータが、前記ＵＥのＥＢＩに対応するベアラがＳ１１−ＵベアラからＳ１−Ｕベアラに切り替えられる必要があることを示すために使用される新たに定義された指示情報である場合、前記第１のパラメータの値が１に設定されているとき、前記第１の識別子を前記第１のＥＢＩに対応する前記ＥＰＳベアラに割り当てるステップを含む、
請求項２６に記載の方法。
【請求項２８】
前記Ｓ−ＧＷが前記ＭＭＥから前記第１のメッセージを受信する前に、前記方法はさらに、
前記Ｓ−ＧＷにより、前記ＭＭＥから第２のメッセージを受信するステップであって、前記第２のメッセージは、前記ＭＭＥと前記Ｓ−ＧＷとの間のＳ１１インタフェースデータプレーンベアラをリリースするように前記Ｓ−ＧＷに指示するために使用されるステップと、
前記Ｓ−ＧＷにより、前記第２のメッセージに従って、前記ＭＭＥと前記Ｓ−ＧＷとの間の前記Ｓ１１インタフェースデータプレーンベアラをリリースするステップと、
前記Ｓ−ＧＷにより、第２の応答メッセージを前記ＭＭＥに送信するステップと
を含む、
請求項１９〜２７のいずれか一項に記載の方法。
【請求項２９】
前記第１の応答メッセージは第２の識別子をさらに含み、前記第２の識別子は、前記ＵＥに対する第１のＳ１１インタフェースユーザプレーンベアラを設定するために使用され、前記第１のＳ１１インタフェースユーザプレーンベアラは、前記Ｓ−ＧＷと前記ＭＭＥとの間のベアラである、
請求項１９〜２８のいずれか一項に記載の方法。
【請求項３０】
モビリティ管理エンティティ（ＭＭＥ）により、第１のメッセージをサービングゲートウェイ（Ｓ−ＧＷ）に送信するステップであって、前記第１のメッセージは第１の指示を搬送し、前記第１の指示は第１の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラである、ステップと、
前記ＭＭＥにより、第１の応答メッセージを前記Ｓ−ＧＷから受信するステップであって、前記第１の応答メッセージは前記第１の識別子を搬送する、ステップと
を含む、ユーザプレーンベアラ設定方法。
【請求項３１】
前記第１のメッセージは第１のＥＰＳベアラ識別（ＥＢＩ）を含む、
請求項３０に記載の方法。
【請求項３２】
Ｓ１１インタフェースユーザプレーンベアラからＳ１インタフェースユーザプレーンベアラへの切り替えが必要であると判断すると、前記ＭＭＥは、前記第１の指示に含まれる第１のパラメータを事前設定条件を満たす値に設定するように構成され、
前記ＭＭＥは、前記第１のパラメータを前記Ｓ−ＧＷに送信する、
請求項３０又は３１記載の方法。
【請求項３３】
前記プロセッサが前記第１の指示に含まれる第１のパラメータを事前設定条件を満たす値に設定するように構成されることは、
前記第１のパラメータがチェンジＦ−ＴＥＩＤサポート指示パラメータとＳ１１−Ｕトンネルフラグとを含む場合、前記プロセッサは、前記チェンジＦ−ＴＥＩＤサポート指示パラメータの値を１に設定し、前記Ｓ１１−Ｕトンネルフラグパラメータの値を０に設定するように構成される、又は
前記第１のパラメータがＳ１１−Ｕトンネルフラグを含む場合、前記プロセッサは、前記Ｓ１１−Ｕトンネルフラグパラメータの値を１に設定するように構成される、又は
前記第１のパラメータが、前記ＵＥのＥＢＩに対応するベアラがＳ１１−ＵベアラからＳ１−Ｕベアラに切り替えられる必要があることを示すために使用される新たに定義された指示情報である場合、前記プロセッサは、前記新たに定義された指示情報の値を１に設定するように構成される、
請求項３２に記載の方法。
【請求項３４】
前記ＭＭＥが前記第１のメッセージを前記Ｓ−ＧＷに送信する前に、前記方法はさらに、
前記ＭＭＥにより、第２のメッセージを前記Ｓ−ＧＷに送信するステップであって、前記第２のメッセージは、前記ＭＭＥと前記Ｓ−ＧＷとの間のＳ１１インタフェースデータプレーンベアラをリリースするように前記Ｓ−ＧＷに指示するために使用される、ステップと、
前記ＭＭＥにより、第２の応答メッセージを前記Ｓ−ＧＷから受信するステップと
を含む、請求項３０〜３３のいずれか一項に記載の方法。
【請求項３５】
前記ＭＭＥは、前記第１の識別子を前記ｅＮＢに送信する、
請求項３０〜３４のいずれか一項に記載の方法。
【発明の詳細な説明】
【技術分野】
【０００１】
本発明の実施形態は、通信分野に関し、特に、通信分野におけるユーザプレーンベアラ設定方法及び装置に関する。
【背景技術】
【０００２】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して「３ＧＰＰ」）は、狭帯域のモノのインターネット（Ｎａｒｒｏｗｂａｎｄ  Ｉｎｔｅｒｎｅｔ  ｏｆ  Ｔｈｉｎｇｓ、略して「ＮＢ−ＩｏＴ」）プロジェクトに関する研究を行っている。一部のＮＢ−ＩｏＴアプリケーション、例えば、水道メータ、電気メータ、センサなどの端末は、主にネットワークを使用して、非常に少量のメータ読み取りデータ又は監視データを送信したり、インテリジェント街路灯は、ネットワークによって配信される光スイッチオン／スイッチオフ制御命令を受け取る。一般に、１回の送信中にデータパケットで搬送されるデータ量は、数十から数百バイトに過ぎない。
【０００３】
既存のロングタームエボリューション（Ｌｏｎｇ  Ｔｅｒｍ  Ｅｖｏｌｕｔｉｏｎ、略して「ＬＴＥ」）システムでは、アイドルモードにある端末がデータを送信する必要があるとき、少量のデータだけを送信する必要がある場合でも、端末は、データを送信する前にサービス要求手順を開始してエアインタフェースベアラとＳ１インタフェースベアラとを設定する必要がある。さらに、無線リソース制御（Ｒａｄｉｏ  Ｒｅｓｏｕｒｃｅ  Ｃｏｎｔｒｏｌ、略して「ＲＲＣ」）セキュリティ環境情報は、進化型ＮｏｄｅＢ（ｅｖｏｌｖｅｄ  ＮｏｄｅＢ、略して「ｅＮｏｄｅＢ」又は「ｅＮＢ」）にダウンロードされる必要がある。しかしながら、少量のデータが送信される前に、ベアラ設定及びそれに続く動作によってもたらされるオーバーヘッドは非常に無駄である。
【０００４】
従って、オーバーヘッドを減少するために、現在、このようなアプリケーションシナリオでデータを送信するための２つの解決策が設計されている。１つの解決策は、制御プレーンソリューション（ＣＰ  ＣＩｏＴ  ＥＰＳ  Ｏｐｔｉｍｉｚａｔｉｏｎ）である。具体的には、これらの小さいデータパケットは、ユーザ機器（ｕｓｅｒ  ｅｑｕｉｐｍｅｎｔ、ＵＥ）とモビリティ管理エンティティ（ｍｏｂｉｌｉｔｙ  ｍａｎａｇｅｍｅｎｔ  ｅｎｔｉｔｙ、ＭＭＥ）との間のＮＡＳシグナリングを使用することによってＭＭＥに送信され、次いでＭＭＥは、Ｓ１１−Ｕベアラを使ってデータをサービングゲートウェイ（ｓｅｒｖｉｎｇ  ｇａｔｅｗａｙ、Ｓ−ＧＷ）に送信し、さらにデータはパケットデータネットワークゲートウェイ（ＰＤＮ  ｇａｔｅｗａｙ、Ｐ−ＧＷ）に送信される。もう１つの解決策は、ユーザプレーンソリューション（ＵＰ  ＣＩｏＴ  ＥＰＳ  Ｏｐｔｉｍｉｚａｔｉｏｎ）である。具体的には、ＵＥは無線ベアラを使用してデータを進化型ＮｏｄｅＢ（ｅＮＢ）に送信し、ｅＮＢはＳ１−Ｕベアラを使用してデータをＳ−ＧＷに送信し、データはさらにＰ−ＧＷに送信される。ｅＮＢは、ＵＥとｅＮＢとの間のエアインタフェースシグナリング交換を減少するためにＵＥのアクセス階層ＡＳ環境を記憶するので、この解決策は特殊である。
【０００５】
但し、一部のＮＢ−ＩｏＴアプリケーションのデータサービスは不安定である。データパケットは小さい低周波数パケットのこともあるが、データパケットは小さい高周波数パケットかより大きなパケットのこともある。この場合、制御プレーンソリューションを使用することは、ＭＭＥの負荷増加及びＵＥとＭＭＥとの間のＮＡＳシグナリング交換の増加などのいくつかの不利益をもたらす一方、ユーザプレーンソリューションはより適切である。従って、データ伝送は、制御プレーンソリューションからユーザプレーンソリューションにスイッチする必要がある。
【発明の概要】
【０００６】
本発明の実施形態で提供されるユーザプレーンベアラ設定方法及び装置は、データを制御プレーンソリューションからユーザプレーンソリューションにスイッチすることができる。
【０００７】
第１の態様によれば、本願の実施形態は、ユーザプレーンベアラ設定方法を提供する。  方法は、サービングゲートウェイ（Ｓ−ＧＷ）によって、モビリティ管理エンティティ（ＭＭＥ）からの第１のメッセージを受信することを含む。第１のメッセージは、ベアラ修正要求メッセージ、又はアクセスベアラ修正要求メッセージ、又はアクセスベアラリリース要求メッセージであり得る。
【０００８】
第１のメッセージは第１の指示を搬送し、第１の指示は、ＵＥの第１の進化型パケットシステム（ＥＰＳ）ベアラに第１の識別子を割り当てるようにＳ−ＧＷに指示するために使用される。第１の識別子は、ＵＥに対する第１のＳ１インタフェースユーザプレーンベアラを設定するために使用され、第１のＳ１インタフェースユーザプレーンベアラは、Ｓ−ＧＷとｅＮＢとの間のベアラであり、第１の識別子は具体的には、Ｓ１−Ｕ  Ｓ−ＧＷ  Ｆ−ＴＥＩＤであり得る。
【０００９】
Ｓ−ＧＷは、第１の指示に従って、第１の識別子をＵＥの第１のＥＰＳベアラに割り当てる。
【００１０】
Ｓ−ＧＷは，第１の応答メッセージをＭＭＥに送信する。第１の応答メッセージは第１の識別子を搬送する。第１の応答メッセージは、ベアラ修正応答メッセージ、又はアクセスベアラ修正応答メッセージ、又はアクセスベアラリリース応答メッセージであり得る。
【００１１】
可能な設計において、第１のメッセージは第１のＥＰＳベアラ識別（ＥＢＩ）を含む。第１のＥＢＩは、第１の識別子を第１のＥＢＩに対応するＥＰＳベアラに割り当てるためにＳ−ＧＷによって使用される。
【００１２】
可能な設計において、第１のメッセージは第２の識別子をさらに含み、第２の識別子は、ＵＥに対する第１のＳ１１インタフェースユーザプレーンベアラを設定するために使用され、第１のＳ１１インタフェースユーザプレーンベアラは、Ｓ−ＧＷとＭＭＥとの間のベアラである。例えば、第２の識別子は、Ｓ１１−Ｕ  Ｓ−ＧＷ  Ｆ−ＴＥＩＤであり得る。
【００１３】
可能な設計において、第１のメッセージはアクセスベアラリリース要求であり得、第１のメッセージに対応する第１の応答メッセージはアクセスベアラリリース応答であり得る。代替的に、第１のメッセージはセッション生成要求であり得、第１のメッセージに対応する第１の応答メッセージはセッション生成応答であり得る。
【００１４】
可能な設計において、Ｓ−ＧＷは、ＵＥの第１のＥＰＳベアラのベアラ環境を記憶する。
【００１５】
可能な設計において、Ｓ−ＧＷは、第１の指示に含まれる第１のパラメータの値が事前設定条件を満たすと判断し得、例えば、チェンジＦ−ＴＥＩＤサポート指示パラメータの値が事前設定条件を満たし（例えば、その値は１である）、Ｓ１１−Ｕトンネルフラグパラメータの値が事前設定条件を満たす（例えば、その値は０である）ことを検出し得る。事前設定条件が満たされると、Ｓ−ＧＷは、第１の識別子を第１のＥＢＩに対応するＥＰＳベアラに割り当てる。
【００１６】
可能な設計において、Ｓ−ＧＷは、第１の指示に従ってＵＥの各ＥＰＳベアラに、ＥＰＳベアラに対応する第１の識別子を割り当てる。この場合、Ｓ−ＧＷは、ＵＥの各ＥＰＳベアラのベアラ環境を記憶し、Ｓ−ＧＷは、ＭＭＥに、メッセージを使用して、対応するＥＰＳベアラに基づいて第１の識別子を割り当てるようにＳ−ＧＷに指示することを要求しない。
【００１７】
可能な設計において、ＭＭＥは、代替的に、メッセージを使用することによって、第１の識別子が割り当てられるべきＵＥのＥＰＳベアラをＳ−ＧＷに知らせ得る。例えば、ＭＭＥは、ＥＢＩを搬送するメッセージをＳ−ＧＷに送信し得、ＭＭＥによって送信されたメッセージを受信した後、Ｓ−ＧＷはメッセージで搬送されたＥＢＩに基づいて、識別子が割り当てられるべきＵＥのＥＰＳベアラを決定し得る。
【００１８】
可能な設計では、Ｓ−ＧＷは、ＭＭＥから第２のメッセージを受信し、第２のメッセージはまた、アクセスベアラリリース要求メッセージでもよく、そして第２のメッセージは、ＭＭＥとＳ−ＧＷとの間のＳ１１インタフェースデータプレーンベアラをリリースするようにＳ−ＧＷに指示するために使用され、Ｓ−ＧＷは、第２のメッセージに従って、ＭＭＥとＳ−ＧＷとの間のＳ１１インタフェースデータプレーンベアラをリリースし、Ｓ−ＧＷは、第２の応答メッセージをＭＭＥに送信する。
【００１９】
可能な設計において、Ｓ−ＧＷは各Ｓ１１インタフェースデータプレーンベアラをリリースし得る。
【００２０】
可能な設計において、ＭＭＥは、第２のメッセージを使用することによって、リリースされるべきＳ１１インタフェースデータプレーンベアラをＳ−ＧＷに代替的に通知し得る。例えば、ＭＭＥは、ＥＢＩを搬送するメッセージをＳ−ＧＷに送信し得、ＭＭＥによって送信されたメッセージを受信した後、Ｓ−ＧＷは、メッセージで搬送されたＥＢＩに基づいて、リリースされるべきＳ１１インタフェースデータプレーンベアラを決定し得る。
【００２１】
可能な設計において、第２のメッセージは、アクセスベアラリリース要求メッセージであり得る。
【００２２】
可能な設計において、ＭＭＥとＳ−ＧＷとの間のＳ１１インタフェースデータプレーンベアラがリリースされた後、ＭＭＥは、リリースされたＳ１１インタフェースデータプレーンベアラを復元することを決定し得る。
【００２３】
可能な設計において、第１の応答メッセージはさらに、第２の識別子を含む。第２の識別子は、Ｓ１１−Ｕ  Ｓ−ＧＷ  Ｆ−ＴＥＩＤであり得る。Ｓ１１−Ｕ  Ｓ−ＧＷ  Ｆ−ＴＥＩＤは、ＵＥに対するＳ１１インタフェースユーザプレーンベアラを設定するために使用される。Ｓ１１インタフェースユーザプレーンベアラは、Ｓ−ＧＷとＭＭＥとの間のベアラである。
【００２４】
別の態様によれば、本願の実施形態は、ユーザプレーンベアラ設定方法を提供する。方法は，モビリティ管理エンティティ（ＭＭＥ）によって、第１のメッセージをサービングゲートウェイ（Ｓ−ＧＷ）に送信するステップであり、ここで、第１のメッセージは第１の態様に従って説明されたメッセージであってもよく、第１のメッセージは第１の指示を搬送し、第１の指示は、第１の識別子をＵＥの第１の進化型パケットシステム（ＥＰＳ）ベアラに割り当てるようにＳ−ＧＷに指示するために使用され、第１の識別子は、ＵＥに対する第１のＳ１インタフェースユーザプレーンベアラを設定するために使用され、第１のＳ１インタフェースユーザプレーンベアラは、Ｓ−ＧＷとｅＮＢとの間のベアラであるステップと、ＭＭＥによって、Ｓ−ＧＷからの第１の応答メッセージを受信するステップであり、第１の応答メッセージは第１の識別子を搬送するステップとを含む。
【００２５】
可能な設計において、第１のメッセージは第１のＥＰＳベアラ識別（ＥＢＩ）を含む。
【００２６】
可能な設計において、Ｓ１１インタフェースユーザプレーンベアラからＳ１インタフェースユーザプレーンベアラへの切り替えが必要であると判断するとき、ＭＭＥは、第１の指示に含まれる第１のパラメータを事前設定条件を満たす値に設定し、ＭＭＥは第１のパラメータをＳ−ＧＷに送信する。第１のパラメータは、ＭＭＥによって決定され得る。ＭＭＥは、チェンジＦ−ＴＥＩＤサポート指示パラメータの事前設定値及びＳ１１−Ｕトンネルフラグパラメータの事前設定値を設定することによってＳ−ＧＷに通知し得る。例えば、チェンジＦ−ＴＥＩＤサポート指示パラメータの値が１に設定され、Ｓ１１−Ｕトンネルフラグパラメータの事前設定値が０の場合、Ｓ−ＧＷは、識別子をＥＢＩに対応するＥＰＳベアラに割り当てる。
【００２７】
可能な設計において、ＭＭＥは、第２のメッセージをＳ−ＧＷに送信し、第２のメッセージは、ＭＭＥとＳ−ＧＷとの間のＳ１１インタフェースデータプレーンベアラをリリースするようにＳ−ＧＷに指示するために使用され、ＭＭＥはＳ−ＧＷから第２の応答メッセージを受信する。第２のメッセージは、アクセスベアラリリース要求メッセージであり得る。
【００２８】
可能な設計において、ＭＭＥとＳ−ＧＷとの間のＳ１１インタフェースデータプレーンベアラがリリースされた後で、ＭＭＥは、リリースされたＳ１１インタフェースデータプレーンベアラを復元することを決定し得る。
【００２９】
可能な設計において、ＭＭＥは、第１の識別子をｅＮＢに送信する。
【００３０】
第３の態様によれば、本願の実施形態はサービングゲートウェイ（Ｓ−ＧＷ）を提供する。Ｓ−ＧＷは、上記の方法設計においてＳ−ＧＷの振る舞いを実現する機能を有する。本機能は、ハードウェアにより実現されてもよく、対応するソフトウェアを実行するハードウェアにより実現されてもよい。ハードウェア又はソフトウェアは、上記の機能に対応する１つ又は複数のモジュールを含む。
【００３１】
可能な設計において、Ｓ−ＧＷの構造は、プロセッサ及び送信機／受信機を含む。プロセッサは、上記の方法において対応する機能を実行する際にＳ−ＧＷをサポートするように、例えば、第１の指示に従って第１の識別子をＵＥの第１のＥＰＳベアラに割り当てるように構成される。送信機／受信機は、他のネットワーク要素と通信する際にＳ−ＧＷをサポートし、上記の方法における情報又は命令を他のネットワーク要素に送信し、例えば、ＭＭＥから第１のメッセージを受信し、ＭＭＥに第１の応答メッセージを送信するように構成される。Ｓ−ＧＷはメモリをさらに含み得る。メモリは、プロセッサと結合し、基地局に必要なプログラム命令及びデータを記憶するように構成される。
【００３２】
第４の態様によれば、本願の実施形態は、モビリティ管理エンティティ（ＭＭＥ）を提供する。ＭＭＥは、上記の方法設計においてＭＭＥの動作を実施する機能を有する。本機能は、ハードウェアにより実現されてもよく、対応するソフトウェアを実行するハードウェアにより実現されてもよい。ハードウェア又はソフトウェアは、上記の機能に対応する１つ又は複数のモジュールを含む。
【００３３】
可能な設計において、ＭＭＥの構造は、プロセッサと送信機／受信機とを含む。プロセッサは、上記の方法における対応する機能を実行する際にＭＭＥをサポートするように、例えば指示情報を構成するように構成される。送信機／受信機は、他のネットワーク要素と通信する際にＭＭＥをサポートし、上記の方法における情報又は命令を他のネットワーク要素に送信し、例えば、指示情報をＳ−ＧＷに送信し、応答メッセージをＳ−ＧＷから受信するように構成される。ＭＭＥは、メモリをさらに含み得る。メモリは、プロセッサと結合し、基地局に必要なプログラム命令及びデータを記憶するように構成される。
【００３４】
第５の態様によれば、本願の実施形態は、ユーザプレーンベアラ設定システムをさらに提供する。本システムは、上記の態様によるＳ−ＧＷ及びＭＭＥを含む、又は本システムは、上記の態様による他のネットワークエンティティを含む。
【００３５】
第６の態様によれば、本発明の実施形態は、上記のＳ−ＧＷによって使用されるコンピュータソフトウェア命令を記憶するように構成されたコンピュータ記憶媒体を提供する。  コンピュータ記憶媒体は、上記の態様を実行するように設計されたプログラムを含む。
【００３６】
第７の態様によれば、本発明の実施形態は、上記のＭＭＥによって使用されるコンピュータソフトウェア命令を記憶するように構成されたコンピュータ記憶媒体を提供する。コンピュータ記憶媒体は、上記の態様を実行するように設計されたプログラムを含む。
【００３７】
従来技術と比較して、本発明の実施形態は、制御プレーンソリューションからユーザプレーンソリューションへのデータ送信の切り替えを提供する。
【図面の簡単な説明】
【００３８】
本発明の実施形態における技術的解決策をより明確に説明するために、以下、本発明の実施形態又は従来技術を説明するために必要な添付図面を簡単に説明する。明らかに、以下の説明における添付図面は、単に本発明のいくつかの実施形態を示しており、当業者は創造的な努力なしにこれらの添付図面から他の図面をなお導出し得る。
【００３９】
【図１】本発明の実施形態によるアプリケーションシナリオの概略アーキテクチャ図である。
【図２】本発明の実施形態によるユーザプレーンベアラ設定の概略フローチャートである。
【図３】本発明の実施形態によるユーザプレーンベアラ設定の概略フローチャートである。
【図４】本発明の実施形態によるユーザプレーンベアラ設定の概略インタラクションフローチャートである。
【図５】本発明の実施形態によるユーザプレーンベアラ設定の概略インタラクションフローチャートである。
【図６】本発明の実施形態によるユーザプレーンベアラ設定の概略インタラクションフローチャートである。
【図７】本発明の実施形態によるユーザプレーンベアラ設定の概略インタラクションフローチャートである。
【図８】本発明の実施形態によるサービングゲートウェイの概略構造図である。
【図９】本発明の実施形態によるモビリティ管理エンティティの概略構造図である。
【図１０】本発明の実施形態によるユーザプレーンベアラ設定の概略インタラクションフローチャートである。
【発明を実施するための形態】
【００４０】
以下、本発明の実施形態における技術的解決策を本発明の実施形態における添付図面を参照して明確かつ十分に説明する。明らかに、説明される実施形態は、単に本発明の実施形態の一部であり、すべてではない。創造的な努力をせずに本発明の実施形態により当業者によって得られる他のすべての実施形態は、本発明の保護範囲に包含されるべきものである。
【００４１】
本発明で説明される技術的解決策は、進化型パケットシステム（Ｅｖｏｌｖｅｄ  Ｐａｃｋｅｔ  Ｓｙｓｔｅｍ、ＥＰＳ）ネットワークアーキテクチャシナリオに適用し得、また、第４世代（４ｔｈ  Ｇｅｎｅｒａｔｉｏｎ、４Ｇ）システム又は第５世代（５ｔｈ  Ｇｅｎｅｒａｔｉｏｎ、５Ｇ）システムなどのＥＰＳの進化型システムにも適用し得る。実施形態では、一例としてＥＰＳネットワークシステムが用いられる。
【００４２】
本発明の実施形態で説明されるＥＰＳネットワークアーキテクチャ及びサービスシナリオは、本発明の実施形態における技術的解決策をより明確に説明することを意図しているが、本発明の実施形態で提供される技術的解決策に対する限定を構成するものではない。当業者は、ネットワークアーキテクチャの進化及び新しいサービスシナリオの出現に伴って、本発明の実施形態で提供される技術的解決策が同様の技術的問題にも適用可能であることを理解するであろう。
【００４３】
本出願において、「ネットワーク」及び「システム」という用語はしばしば交換可能に使用され、当業者はそれらの意味を理解し得る。本願におけるユーザ機器ＵＥは、様々なハンドヘルドデバイス、車載デバイス、ウェアラブルデバイス、及び無線通信機能を有するコンピューティングデバイス、或いは無線モデムに接続された別の処理デバイス、及び様々な形態のユーザ機器（Ｕｓｅｒ  Ｅｑｕｉｐｍｅｎｔ、略してＵＥ）、移動局（Ｍｏｂｉｌｅ  Ｓｔａｔｉｏｎ、略してＭＳ）、端末（Ｔｅｒｍｉｎａｌ）、端末機器（Ｔｅｒｍｉｎａｌ  Ｅｑｕｉｐｍｅｎｔ）などを含み得る。説明を容易にするために、本願では上記のデバイスを総称してユーザ機器又はＵＥと呼ぶ。本発明における基地局（ｂａｓｅ  ｓｔａｔｉｏｎ、略してＢＳ）は、無線アクセス機能をＵＥに提供するために無線アクセスネットワークに配置される装置である。基地局は、様々な形態のマクロ基地局、マイクロ基地局、中継局、アクセスポイントなどを含み得る。基地局の機能を有するデバイスの名称は、異なる無線アクセス技術を使用しているシステムでは異なり得る。例えば、デバイスは、ＬＴＥネットワークでは進化型ＮｏｄｅＢ（ｅｖｏｌｖｅｄ  ＮｏｄｅＢ、略してｅＮＢ又はｅＮｏｄｅＢ）と呼ばれ、第３世代３ＧネットワークではＮｏｄｅＢ（ＮｏｄｅＢ）と呼ばれる。
【００４４】
図１は、本発明の実施形態によるＥＰＳネットワークアーキテクチャを示す。ＥＰＳネットワークアーキテクチャは、主に、サービングゲートウェイ（Ｓｅｒｖｉｎｇ  Ｇａｔｅｗａｙ、Ｓ−ＧＷ）、モビリティ管理エンティティ（Ｍｏｂｉｌｉｔｙ  Ｍａｎａｇｅｍｅｎｔ  Ｅｎｔｉｔｙ、ＭＭＥ）、進化型ＮｏｄｅＢ（ｅＮＢ）、及びユーザ機器（ＵＥ）を含む。ネットワーク要素間の関係は、図１に具体的に示されている。
【００４５】
進化型ユニバーサルテレストリアル無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ＥＵＴＲＡＮ）は、複数のｅＮｏｄｅＢを含むネットワークである。ｅＮｏｄｅＢは、ユーザプレーンインタフェースＳ１−Ｕを介してＳ−ＧＷに接続され、制御プレーンインタフェースＳ１−ＭＭＥを介してＭＭＥに接続される。ＭＭＥは、非アクセス階層（Ｎｏｎ  Ａｃｃｅｓｓ  Ｓｔｒａｔｕｍ、ＮＡＳ）シグナリング及びセキュリティ、トラッキングエリア管理、パケットデータネットワークゲートウェイ（ＰＤＮ  Ｇａｔｅｗａｙ，  Ｐ−ＧＷ；  ＰＤＮ，  Ｐａｃｋｅｔ  Ｄａｔａ  Ｎｅｔｗｏｒｋ）選択、Ｓ−ＧＷ選択などを含むユーザセッション管理のすべての制御プレーン機能を主に担当する。Ｓ−ＧＷは、主に、ＵＥのデータ送信、転送、経路切り替えなどを担当し、ｅＮｏｄｅＢ間のＵＥのハンドオーバー中にＵＥのローカルモビリティアンカーポイントとして機能する。Ｐ−ＧＷは、ＵＥに対するインターネットプロトコル（Ｉｎｔｅｒｎｅｔ  Ｐｒｏｔｏｃｏｌ、ＩＰ）アドレス割り当て、端末に対するデータパケットフィルタリング、レート制御、課金情報の生成などを担当する。ＮＢ−ＩｏＴシナリオでは、ＭＭＥは、Ｓ−ＧＷを用いて、Ｓ１１インタフェース上にＳ１１−Ｕユーザプレーンベアラをさらに確立する。
【００４６】
図２は、本発明の実施形態によるユーザプレーンベアラ設定のための体系的方法の概略フローチャートである。
【００４７】
本システムは一例としてＥＰＳネットワークアーキテクチャを使用し、そのアーキテクチャはＳ−ＧＷ、ＭＭＥ、及びｅＮＢなどの主要なネットワーク要素を含む。本発明のこの実施形態において提供される技術的解決策における主なインタラクション処理は、Ｓ−ＧＷとＭＭＥとの間のものである。ユーザプレーンベアラ設定及び切り替えは、Ｓ−ＧＷとＭＭＥとの間の創造的な処理を通して実施される。本発明のこの実施形態を実施するために別のネットワーク要素も対応する協調的ステップを実行し得ることを理解されよう。
【００４８】
Ｓ２０１：ＭＭＥは、第１のメッセージをＳ−ＧＷに送信し、第１のメッセージは第１の指示を搬送する。
【００４９】
Ｓ２０２：Ｓ−ＧＷは、第１の指示に従って、第１の識別子をＵＥの第１のＥＰＳベアラに割り当てる。
【００５０】
Ｓ２０３：Ｓ−ＧＷは、第１の応答メッセージをＭＭＥに送信し、第１の応答メッセージは第１の識別子を搬送する。
【００５１】
図４から図７は、本発明のこの実施形態の特定の実装を示す。以下、添付図面を参照して詳細を説明する。
【００５２】
実施形態１
図４に示すように、ＭＭＥは第１のメッセージをＳ−ＧＷに送信する。第１のメッセージは、ベアラ修正要求メッセージ又はアクセスベアラ修正要求メッセージであり得る。
【００５３】
第１のメッセージは第１の指示を搬送する。第１の指示は、ＵＥの第１の進化型パケットシステム（ＥＰＳ）ベアラに第１の識別子を割り当てるようにＳ−ＧＷに指示することができる。第１の指示は、Ｓ１−Ｕ  Ｓ−ＧＷ  Ｆ−ＴＥＩＤ割り当て指示、又はＵＰ指示に対するＣＰ転送、又は別の名前と呼ばれることがあり、本明細書では限定はされない。
【００５４】
第１の識別子は、具体的にはＳ１−Ｕ  Ｓ  −ＧＷ  Ｆ−ＴＥＩＤであり得る。識別子は、ＵＥに対する第１のＳ１インタフェースユーザプレーンベアラを設定するために使用され、第１のＳ１インタフェースユーザプレーンベアラは、Ｓ−ＧＷとｅＮＢとの間のベアラである。
【００５５】
任意選択的に、第１のメッセージはさらに、第１のＥＰＳベアラ識別（ＥＢＩ）を含む。第１のＥＢＩは、第１の識別子を第１のＥＢＩに対応するＥＰＳベアラに割り当てるためにＳ−ＧＷによって使用される。
【００５６】
任意選択的に、図１０に示すように、本処理は、Ｓ１１−Ｕユーザプレーントンネルに基づくＣＩｏＴ制御プレーンデータ送信ソリューションのＳ１１−Ｕユーザプレーントンネル設定処理であってもよい。第１の指示は、ＵＥの第１の進化型パケットシステム（ＥＰＳ）ベアラに第２の識別子を割り当てるようにＳ−ＧＷに指示し得る。第２の識別子は、ＵＥに対する第１のＳ１１インタフェースユーザプレーンベアラを設定するために使用され、第１のＳ１１インタフェースユーザプレーンベアラは、Ｓ−ＧＷとＭＭＥとの間のベアラである。例えば、第２の識別子は、Ｓ１１−Ｕ  Ｓ−ＧＷ  Ｆ−ＴＥＩＤであり得る。Ｓ−ＧＷはさらに、第１の指示に従って第１の識別子及び第２の識別子を割り当てる。第１の識別子は、ＵＥに対する第１のＳ１インタフェースユーザプレーンベアラを設定するために使用され、第１のＳ１インタフェースユーザプレーンベアラは、Ｓ−ＧＷとｅＮＢとの間のベアラである。Ｓ−ＧＷは、第１の応答メッセージを使用することによって第１の識別子及び第２の識別子をＭＭＥに返す。
【００５７】
Ｓ−ＧＷは、図４の処理のステップ５によって示されるように、第１の指示に従って第１の識別子をＵＥの第１のＥＰＳベアラに割り当てる。
【００５８】
任意選択的に、Ｓ−ＧＷは、第１の指示に従ってＵＥの各ＥＰＳベアラに、ＥＰＳベアラに対応する第１の識別子を割り当てる。この場合、Ｓ−ＧＷは、ＵＥの各ＥＰＳベアラのベアラ環境を記憶し、Ｓ−ＧＷは、ＭＭＥに対して、メッセージを使用することにより、第１の識別子を対応するＥＰＳベアラに基づいて割り当てるようにＳ−ＧＷに指示することを要求しない。
【００５９】
任意選択的に、ＭＭＥは代替的に、メッセージを使用することによって、第１の識別子が割り当てられるべきＵＥのＥＰＳベアラをＳ−ＧＷに通知し得る。例えば、ＭＭＥは、ＥＢＩを搬送するメッセージをＳ−ＧＷに送信してもよく、ＭＭＥによって送信されたメッセージを受信した後、Ｓ−ＧＷは、メッセージで搬送されたＥＢＩに基づいて、識別子が割り当てられるべきＵＥのＥＰＳベアラを決定してもよい。
【００６０】
任意選択的に、ＭＭＥは、チェンジＦ−ＴＥＩＤサポート指示パラメータの事前設定値及びＳ１１−Ｕトンネルフラグパラメータの事前設定値を設定することによってＳ−ＧＷに通知し得る。例えば、チェンジＦ−ＴＥＩＤサポート指示パラメータの値が１に設定され、Ｓ１１−Ｕトンネルフラグパラメータの事前設定値が０である場合、Ｓ−ＧＷは、具体的には、図７のステップ７から９に示すように、ＥＢＩに対応するＥＰＳベアラに識別子を割り当てる。
【００６１】
任意選択的に、第１のパラメータがＳ１１−Ｕトンネルフラグを含む場合、ＭＭＥはＳ１１−Ｕトンネルフラグパラメータの値を１に設定する、又は、第１のパラメータが、ＵＥのＥＢＩに対応するベアラをＳ１１−ＵベアラからＳ１−Ｕベアラにスイッチする必要があることを示すために使用される新たに定義された指示情報である場合、ＭＭＥは第１のパラメータの値を１に設定する。上記のパラメータの値の意味は手動で設定されてもよいことが理解されよう。例えば、１つの指示情報を新たに定義して、ＵＥのＥＢＩに対応するベアラをＳ１１−ＵベアラからＳ１−Ｕベアラにスイッチする必要があることを示してもよい。具体的には、ＭＭＥは、第１パラメータの値１が事前設定条件を満たすと設定する、具体的には、Ｓ１１インタフェースユーザプレーンベアラからＳ１インタフェースユーザプレーンベアラへの切り替えが必要であると判断する。
【００６２】
任意選択的に、Ｓ−ＧＷは、識別子がＥＢＩに対応するベアラに割り当てられているか否かをさらに検出し得る。識別子がすでに割り当てられている場合、再設定は不要である。
【００６３】
Ｓ−ＧＷは、第１の応答メッセージをＭＭＥに送信する。第１の応答メッセージは、第１の識別子を搬送する。図４に示すように、第１の応答メッセージは、ベアラ修正応答メッセージ又はアクセスベアラ修正応答メッセージであり得る。
【００６４】
実施形態２
図５に示すように、具体的な実装については、実施形態１を参照されたい。具体的な実装において、実施形態２におけるＭＭＥとＳ−ＧＷとの間の情報交換のためのメッセージは異なる。具体的には、この実施形態では、ＭＭＥによってＳ−ＧＷに送信される第１のメッセージはアクセスベアラリリース要求であり、Ｓ−ＧＷによってＭＭＥに送信される第１の応答メッセージはアクセスベアラリリース応答である。具体的な実施については、実施形態１の説明を参照されたい。詳細は、本明細書では再度説明されない。
【００６５】
実施形態３
Ｓ２０１からＳ２０３は、Ｓ１インタフェースのユーザプレーンベアラがＵＥに対して設定される処理であり、第１のＳ１インタフェースユーザプレーンベアラは、Ｓ−ＧＷとｅＮＢとの間のベアラである。ＵＥのＳ１インタフェースユーザプレーンベアラが設定される前に、任意選択的に、ＭＭＥとＳ−ＧＷとの間のＳ１１インタフェースデータプレーンベアラがリリースされ得る。詳細なリリース処理については、図３のＳ２０４からＳ２０６の説明を参照されたい。
【００６６】
Ｓ２０４：ＭＭＥは、第２のメッセージをＳ−ＧＷに送信する。
【００６７】
図６に示すように、第２のメッセージは、アクセスベアラリリース要求メッセージであり得、第２のメッセージは、ＭＭＥとＳ−ＧＷとの間のＳ１１インタフェースデータプレーンベアラをリリースするようにＳ−ＧＷに指示するために使用される。
【００６８】
Ｓ２０５：Ｓ−ＧＷは、第２のメッセージに従って、ＭＭＥとＳ−ＧＷとの間のＳ１１インタフェースデータプレーンベアラをリリースする。
【００６９】
任意選択的に、Ｓ−ＧＷは、各Ｓ１１インタフェースデータプレーンベアラをリリースし得る。
【００７０】
任意選択的に、ＭＭＥはまた、第２のメッセージを使用することによって、リリースされるべきＳ１１インタフェースデータプレーンベアラをＳ−ＧＷに通知し得る。例えば、ＭＭＥは、ＥＢＩを搬送するメッセージをＳ−ＧＷに送信し得る。ＭＭＥによって送信されたメッセージを受信した後、Ｓ−ＧＷは、メッセージで搬送されたＥＢＩに基づいて、リリースされるＳ１１インタフェースデータプレーンベアラを決定し得る。
【００７１】
Ｓ２０６：Ｓ−ＧＷは、第２の応答メッセージをＭＭＥに送信する。
【００７２】
第２のメッセージは、アクセスベアラリリース応答メッセージであってもよい。
【００７３】
任意選択的に、ＭＭＥとＳ−ＧＷとの間のＳ１１インタフェースデータプレーンベアラがリリースされた後、ＭＭＥは、リリースされたＳ１１インタフェースデータプレーンベアラを復元することを決定し得る。特定の実装処理については、Ｓ１インタフェースユーザプレーンベアラを設定する上記の処理を参照されたい。詳細は、本明細書では再度説明されない。
【００７４】
制御プレーンソリューションの場合、ＭＭＥとＳ−ＧＷとの間にＳ１１−Ｕベアラが設定され、ユーザプレーンソリューションの場合、ｅＮＢとＳ−ＧＷとの間にＳ１−Ｕベアラが設定される。最初に、ＵＥは制御プレーンソリューションを使用し、ＭＭＥは、Ｓ−ＧＷによってＳ１１−Ｕベアラに割り当てられたＳ１１−Ｕ  Ｓ−ＧＷ  Ｆ−ＴＥＩＤのみを有するが、Ｓ１−Ｕベアラに割り当てられたＳ１−Ｕ  Ｓ−ＧＷ  Ｆ−ＴＥＩＤは有していない。従って、ＭＭＥは、Ｓ１−Ｕベアラを設定するために有効なＳ１−Ｕ  Ｓ−ＧＷ  Ｆ−ＴＥＩＤをｅＮＢに送信することができない。言い換えれば、制御プレーンソリューションはユーザプレーンソリューションにうまく切り替えられることができない。
【００７５】
この実施形態で提供されるソリューションでは、Ｓ１−ＵベアラのＳ１−Ｕ  Ｓ−ＧＷ  Ｆ−ＴＥＩＤは、ＭＭＥとＳ−ＧＷとの間のインタラクション通じて取得され、制御プレーンソリューションからユーザプレーンソリューションへのデータの切り替えが実装される。
【００７６】
図８は、上記の実施形態によるＳ−ＧＷの可能な概略構造図である。
【００７７】
図８に示すように、装置８００は、受信機８０１、コントローラ／プロセッサ８０２、及び送信機８０３を含むＳ−ＧＷである。受信機及び送信機は、同じユニットとして実装されてもよいことが理解されよう。送信機８０１／受信機８０３は、上記の実施形態によるＭＭＥへの／からの情報の送信／受信においてＳ−ＧＷをサポートし、別のネットワーク要素との通信においてＳ−ＧＷをサポートするように構成される。コントローラ／プロセッサ８０２は、ＭＭＥとの通信に使用される様々な機能を実行する。
【００７８】
例えば、Ｓ−ＧＷ構造内の受信機は、ＭＭＥから第１のメッセージを受信する。第１のメッセージは、第１の指示を搬送する。第１の指示は、第１の識別子をＵＥの第１の進化型パケットシステム（ＥＰＳ）ベアラに割り当てるようにＳ−ＧＷに指示するために使用される。第１の識別子は、ＵＥに対する第１のＳ１インタフェースユーザプレーンベアラを設定するために使用される。第１のＳ１インタフェースユーザプレーンベアラは、Ｓ−ＧＷとｅＮＢとの間のベアラである。
【００７９】
プロセッサは、第１の指示に従って、第１の識別子をＵＥの第１のＥＰＳベアラに割り当てる。
【００８０】
送信機は、第１の応答メッセージをＭＭＥに送信する。第１の応答メッセージは、第１の識別子を搬送する。
【００８１】
コントローラ／プロセッサ８０２はさらに、図４から図７のＳ−ＧＷに関する処理プロセスを実行し及び／又は本願で説明された技術の他の処理を実行する。装置８００は、基地局のプログラムコード及びデータを記憶するように構成されたメモリをさらに含み得る。
【００８２】
図８は、単にＳ−ＧＷの単純化された設計を示すにすぎない。実際のアプリケーション中では、基地局は任意の数の送信機、受信機、プロセッサ、コントローラ、メモリ、通信ユニットなどを含んでもよく、本発明を実施することができるすべての基地局は本発明の保護範囲内に入る。
【００８３】
図９は、上記の実施形態によるＭＭＥの可能な設計構造の簡略図である。ＭＭＥは、受信機９０１、コントローラ／プロセッサ９０２、及び送信機９０３を含む。送信機９０３は指示信号を出力する。指示信号は、Ｓ１−Ｕベアラに対する第１の識別子を設定するためにＳ−ＧＷによって使用される。第１の識別子は、ＵＥに対する第１のＳ１インタフェースユーザプレーンベアラを設定するために使用される。第１のＳ１インタフェースユーザプレーンベアラは、Ｓ−ＧＷとｅＮＢとの間のベアラである。具体的には、送信機９０３は、上記の実施形態においてＭＭＥによって実施されるステップを実施し得る。
【００８４】
受信機９０１は、Ｓ−ＧＷによって送信された応答メッセージを受信し、具体的には、上記の実施形態においてＭＭＥによって実施されるステップを実施し得る。
【００８５】
コントローラ／プロセッサ９０２は、ＭＭＥの動作を制御及び管理し、上記の実施形態ではＭＭＥによって実行される処理を実行するように構成される。例えば、コントローラ／プロセッサ９０２は、Ｓ−ＧＷが指示情報に従って動作を実行し、及び／又は本発明で説明される技術の他の処理を実行するように指示情報のパラメータを設定するように構成される。一例では、コントローラ／プロセッサ９０２は、図４から図７のＭＭＥに関連する処理プロセスを実行する際にＭＭＥをサポートし、及び／又は本願で説明された技術の他のプロセスを実行するように構成される。装置９００は、基地局のプログラムコード及びデータを記憶するように構成されたメモリをさらに含み得る。
【００８６】
発明においてＳ−ＧＷ又はＭＭＥのようなネットワーク要素の機能を実行するように構成されたコントローラ／プロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、トランジスタ論理デバイス、ハードウェアコンポーネント、又はそれらの任意の組み合わせであり得る。コントローラ／プロセッサは、本発明で開示された内容を参照して説明された様々な例示的な論理ブロック、モジュール、及び回路を実装又は実行し得る。代替的に、プロセッサは、計算機能を実装するプロセッサの組み合わせ、例えば、１つ又は複数のマイクロプロセッサの組み合わせ、又はＤＳＰとマイクロプロセッサとの組み合わせであってもよい。
【００８７】
当業者は、本明細書に開示されている実施形態で説明されている例と組み合わせて、方法ステップ及びユニットが電子ハードウェア、コンピュータソフトウェア、又はそれらの組み合わせによって実装され得ることを認識し得る。ハードウェアとソフトウェアとの間の互換性を明確に説明するために、上記の説明は概して、機能に応じた各実施形態のステップ及び構成を説明している。機能がハードウェア又はソフトウェアのいずれで実行されるかは、特定のアプリケーションと技術ソリューションの設計制約条件に依存する。当業者であれば、特定の用途ごとに説明された機能を実装するために異なる方法を使用し得るが、その実装は本発明の範囲を超えることを考慮すべきではない。
【００８８】
当業者であれば、便利で簡単な説明のために、上記のシステム、装置、及びユニットの詳細な作業工程について、上記の方法の実施形態における対応するステップを参照し得ることを明確に理解し得、詳細は本明細書では再度説明されない。
【００８９】
本願において提供されるいくつかの実施形態において、開示されたシステム、装置、及び方法は他の方法で実施されてもよいことを理解されたい。例えば、説明された装置の実施形態は単なる例である。例えば、ユニット分割は単なる論理的機能分割であり、実際の実施では他の分割でもよい。例えば、複数のユニット又は構成要素を組み合わせたり、他のシステムに統合してもよく、或いは、いくつかの特徴は無視されたり実行されなくてもよい。加えて、表示され又は議論された相互結合又は直接結合又は通信接続は、いくつかのインタフェース、装置又はユニット間の間接結合又は通信接続、或いは電気的接続、機械的接続、又は他の形態の接続により実現され得る。
【００９０】
別々の部分として説明されたユニットは物理的に分離されてもされなくてもよく、ユニットとして表示された部分は物理的ユニットでもそうでなくてもよく、一箇所にあっても複数のネットワークユニットに分散されてもよい。ユニットの一部又は全部は、本発明の実施形態の解決策の目的を達成するために、実際の要件に従って選択され得る。また、本発明の実施形態における機能ユニットは、１つの処理ユニットに統合されていてもよく、ユニットのそれぞれは物理的に単独で存在していてもよく、２つ以上のユニットが１つのユニットに統合されていてもよい。統合化ユニットは、ハードウェアの形態で実施されてもよく、又はソフトウェア機能ユニットの形態で実施されてもよい。
【００９１】
統合化ユニットがソフトウェア機能ユニットの形態で実施され、独立した製品として販売又は使用される場合、統合化ユニットはコンピュータ可読記憶媒体に格納されてもよい。そのような理解に基づいて、本質的に本発明の技術的解決策、先行技術に寄与する部分、又は技術的解決策の全て又は一部をソフトウェア製品の形態で実施し得る。ソフトウェア製品は記憶媒体に格納され、コンピュータデバイス（パーソナルコンピュータ、サーバ、ネットワークデバイスなどであり得る）に本発明の実施形態で説明された方法のステップの全て又は一部を実行するように命令するためのいくつかの命令を含む。前述の記憶媒体は、ＵＳＢフラッシュドライブ、リムーバブルハードディスク、読み出し専用メモリ（Ｒｅａｄ−Ｏｎｌｙ  Ｍｅｍｏｒｙ、略して「ＲＯＭ」）、ランダムアクセスメモリ（Ｒａｎｄｏｍ  Ａｃｃｅｓｓ  Ｍｅｍｏｒｙ、略して「ＲＡＭ」）、磁気ディスク、又は光ディスクなど、プログラムコードを記憶することができる任意の媒体を含む。
【００９２】
上記の説明は、本発明の特定の実施形態にすぎず、本発明の保護範囲を限定することを意図するものではない。本発明で開示された技術的範囲内で当業者によって容易に考え出されるあらゆる変更又は置換は、本発明の保護範囲内に入るものとする。従って、本発明の保護範囲は、特許請求の範囲の保護範囲に従うものとする。
【図１】
2019517756.tif 000003
【図２】
2019517756.tif 000004
【図３】
2019517756.tif 000005
【図４】
2019517756.tif 000006
【図５】
2019517756.tif 000007
【図６】
2019517756.tif 000008
【図７】
2019517756.tif 000009
【図８】
2019517756.tif 000010
【図９】
2019517756.tif 000011
【図１０】
2019517756.tif 000012
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
サービングゲートウェイ（Ｓ−ＧＷ）であって、
モビリティ管理エンティティ（ＭＭＥ）から第１のメッセージを受信するように構成された受信機であって、前記第１のメッセージは第１の指示を搬送し、前記第１の指示は第１の識別子及び第２の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラであり、前記第２の識別子は、前記ＵＥに対する第１のＳ１１インターフェースユーザプレーンベアラを設定するために使用され、前記第１のＳ１１インターフェースユーザプレーンベアラは、前記Ｓ−ＧＷと前記ＭＭＥとの間のベアラである、受信機と、
前記第１の指示に従って前記第１の識別子及び前記第２の識別子を前記ＵＥの前記第１のＥＰＳベアラに割り当てるように構成されるプロセッサと、
第１の応答メッセージを前記ＭＭＥに送信するように構成された送信機であって、前記第１の応答メッセージは前記第１の識別子及び前記第２の識別子を搬送する、送信機と
を備える、サービングゲートウェイ。
【請求項２】
前記第１のメッセージはセッション生成要求であり、
前記第１の応答メッセージはセッション生成応答である、
請求項１に記載のサービングゲートウェイ。
【請求項３】
前記プロセッサは、前記第１の識別子を前記第１のＥＢＩに対応する前記ＥＰＳベアラに割り当てるように構成される、
請求項１又は２に記載のサービングゲートウェイ。
【請求項４】
前記第２の識別子は、Ｓ１１−Ｕ  ＳＧＷ  Ｆ−ＴＥＩＤを含む、
請求項１〜３のいずれか一項に記載のサービングゲートウェイ。
【請求項５】
モビリティ管理エンティティ（ＭＭＥ）であって、
第１のメッセージをサービングゲートウェイ（Ｓ−ＧＷ）に送信するように構成された送信機であって、前記第１のメッセージは第１の指示を搬送し、前記第１の指示は第１の識別子及び第２の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラであり、前記第２の識別子は、前記ＵＥに対する第１のＳ１１インターフェースユーザプレーンベアラを設定するように使用され、前記第１のＳ１１インターフェースユーザプレーンベアラは、前記Ｓ−ＧＷと前記ＭＭＥとの間のベアラである、送信機と、
第１の応答メッセージを前記Ｓ−ＧＷから受信するように構成された受信機であって、前記第１の応答メッセージは前記第１の識別子及び前記第２の識別子を搬送する、受信機と
を備える、ＭＭＥ。
【請求項６】
前記プロセッサは、Ｓ１１インタフェースユーザプレーンベアラからＳ１インタフェースユーザプレーンベアラへの切り替えが必要であると判断すると、前記第１の指示に含まれる第１のパラメータを事前設定条件を満たす値に設定するように構成され、
前記送信機は、前記第１のパラメータを前記Ｓ−ＧＷに送信するように構成される、
請求項５に記載のＭＭＥ。
【請求項７】
請求項１〜４のいずれか一項に記載の前記Ｓ−ＧＷと、請求項５又は６に記載の前記ＭＭＥとを備えたユーザプレーンベアラ設定システム。
【請求項８】
サービングゲートウェイ（Ｓ−ＧＷ）により、モビリティ管理エンティティ（ＭＭＥ）から第１のメッセージを受信するステップであって、前記第１のメッセージは第１の指示を搬送し、前記第１の指示は第１の識別子及び第２の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラであり、前記第２の識別子は、前記ＵＥに対する第１のＳ１１インターフェースユーザプレーンベアラを設定するために使用され、前記第１のＳ１１インターフェースユーザプレーンベアラは、前記Ｓ−ＧＷと前記ＭＭＥとの間のベアラである、ステップと、
前記Ｓ−ＧＷにより、前記第１の指示に従って前記第１の識別子及び前記第２の識別子を前記ＵＥの前記第１のＥＰＳベアラに割り当てるステップと、
前記Ｓ−ＧＷにより、第１の応答メッセージを前記ＭＭＥに送信するステップであって、前記第１の応答メッセージは前記第１の識別子及び前記第２の識別子を搬送する、ステップと
を含む、ユーザプレーンベアラ設定方法。
【請求項９】
前記第１のメッセージは第１のＥＰＳベアラ識別（ＥＢＩ）を含み、前記第１のＥＢＩは、前記第１の識別子を前記第１のＥＢＩに対応するＥＰＳベアラに割り当てるために前記Ｓ−ＧＷによって使用される、
請求項８に記載の方法。
【請求項１０】
前記第１のメッセージはベアラ修正要求であり、
前記第１の応答メッセージはベアラ修正応答である、
請求項８又は９に記載の方法。
【請求項１１】
前記第１のメッセージはアクセスベアラ修正要求であり、
前記第１の応答メッセージはアクセスベアラ修正応答である、
請求項８又は９に記載の方法。
【請求項１２】
前記第１のメッセージはアクセスベアラリリース要求であり、
前記第１の応答メッセージはアクセスベアラリリース応答である、
請求項８又は９に記載の方法。
【請求項１３】
前記第１のメッセージはセッション生成要求であり、
前記第１の応答メッセージはセッション生成応答である、
請求項８又は９に記載の方法。
【請求項１４】
前記Ｓ−ＧＷは、前記ＵＥの前記第１のＥＰＳベアラのベアラ環境を記憶する、
請求項８〜１３のいずれか一項に記載の方法。
【請求項１５】
前記Ｓ−ＧＷにより、前記第１の識別子を前記第１の指示に従って前記ＵＥの前記第１のＥＰＳベアラに割り当てる前記ステップは、
前記第１の指示に含まれる第１のパラメータの値が事前設定条件を満足すると前記Ｓ−ＧＷが判断する場合、前記Ｓ−ＧＷにより、前記第１の識別子を前記第１のＥＢＩに対応する前記ＥＰＳベアラに割り当てるステップを含む、
請求項８〜１４のいずれか一項に記載の方法。
【請求項１６】
前記第１の指示に含まれる前記第１のパラメータの値が前記事前設定条件を満足すると前記Ｓ−ＧＷが判断する場合に、前記Ｓ−ＧＷによって、前記第１の識別子を前記第１のＥＢＩに対応する前記ＥＰＳベアラに割り当てる前記ステップは、
前記第１のパラメータがチェンジＦ−ＴＥＩＤサポート指示パラメータとＳ１１−Ｕトンネルフラグとを含む場合、前記チェンジＦ−ＴＥＩＤサポート指示パラメータの値が１に設定されかつ前記Ｓ１１−Ｕトンネルフラグパラメータの事前設定値が０のときに、前記Ｓ−ＧＷによって、前記第１の識別子を前記第１のＥＢＩに対応する前記ＥＰＳベアラに割り当てるステップを、又は
前記第１のパラメータがＳ１１−Ｕトンネルフラグを含む場合、前記Ｓ１１−Ｕトンネルフラグパラメータの値が１に設定されているとき、前記Ｓ−ＧＷによって、前記第１の識別子を前記第１のＥＢＩに対応する前記ＥＰＳベアラに割り当てるステップを、又は
前記第１のパラメータが、前記ＵＥのＥＢＩに対応するベアラがＳ１１−ＵベアラからＳ１−Ｕベアラに切り替えられる必要があることを示すために使用される新たに定義された指示情報である場合、前記第１のパラメータの値が１に設定されているとき、前記第１の識別子を前記第１のＥＢＩに対応する前記ＥＰＳベアラに割り当てるステップを含む、
請求項１５に記載の方法。
【請求項１７】
前記Ｓ−ＧＷが前記ＭＭＥから前記第１のメッセージを受信する前に、前記方法はさらに、
前記Ｓ−ＧＷにより、前記ＭＭＥから第２のメッセージを受信するステップであって、前記第２のメッセージは、前記ＭＭＥと前記Ｓ−ＧＷとの間のＳ１１インタフェースデータプレーンベアラをリリースするように前記Ｓ−ＧＷに指示するために使用されるステップと、
前記Ｓ−ＧＷにより、前記第２のメッセージに従って、前記ＭＭＥと前記Ｓ−ＧＷとの間の前記Ｓ１１インタフェースデータプレーンベアラをリリースするステップと、
前記Ｓ−ＧＷにより、第２の応答メッセージを前記ＭＭＥに送信するステップと
を含む、
請求項８〜１６のいずれか一項に記載の方法。
【請求項１８】
前記第２の識別子は、Ｓ１１−Ｕ  ＳＧＷ  Ｆ−ＴＥＩＤを含む、
請求項８〜１７のいずれか一項に記載の方法。
【請求項１９】
モビリティ管理エンティティ（ＭＭＥ）により、第１のメッセージをサービングゲートウェイ（Ｓ−ＧＷ）に送信するステップであって、前記第１のメッセージは第１の指示を搬送し、前記第１の指示は第１の識別子及び第２の識別子をＵＥの第１の進化型パケットシステム（ＥＰＳ）ベアラに割り当てるように前記Ｓ−ＧＷに指示するために使用され、前記第１の識別子は、ＵＥに対する第１のＳ１インタフェースユーザプレーンベアラを設定するために使用され、前記第１のＳ１インタフェースユーザプレーンベアラは、前記Ｓ−ＧＷとｅＮＢとの間のベアラであり、前記第２の識別子は、前記ＵＥに対する第１のＳ１１インターフェースユーザプレーンベアラを設定するために使用され、前記第１のＳ１１インターフェースユーザプレーンベアラは、前記Ｓ−ＧＷと前記ＭＭＥとの間のベアラである、ステップと、
前記ＭＭＥにより、第１の応答メッセージを前記Ｓ−ＧＷから受信するステップであって、前記第１の応答メッセージは前記第１の識別子及び前記第２の識別子を搬送する、ステップと
を含む、ユーザプレーンベアラ設定方法。
【請求項２０】
前記第１のメッセージは第１のＥＰＳベアラ識別（ＥＢＩ）を含む、
請求項１９に記載の方法。
【請求項２１】
Ｓ１１インタフェースユーザプレーンベアラからＳ１インタフェースユーザプレーンベアラへの切り替えが必要であると判断すると、前記ＭＭＥは、前記第１の指示に含まれる第１のパラメータを事前設定条件を満たす値に設定するように構成され、
前記ＭＭＥは、前記第１のパラメータを前記Ｓ−ＧＷに送信する、
請求項１９又は２０記載の方法。
【請求項２２】
前記プロセッサが前記第１の指示に含まれる第１のパラメータを事前設定条件を満たす値に設定するように構成されることは、
前記第１のパラメータがチェンジＦ−ＴＥＩＤサポート指示パラメータとＳ１１−Ｕトンネルフラグとを含む場合、前記プロセッサは、前記チェンジＦ−ＴＥＩＤサポート指示パラメータの値を１に設定し、前記Ｓ１１−Ｕトンネルフラグパラメータの値を０に設定するように構成される、又は
前記第１のパラメータがＳ１１−Ｕトンネルフラグを含む場合、前記プロセッサは、前記Ｓ１１−Ｕトンネルフラグパラメータの値を１に設定するように構成される、又は
前記第１のパラメータが、前記ＵＥのＥＢＩに対応するベアラがＳ１１−ＵベアラからＳ１−Ｕベアラに切り替えられる必要があることを示すために使用される新たに定義された指示情報である場合、前記プロセッサは、前記新たに定義された指示情報の値を１に設定するように構成される、
請求項２１に記載の方法。
【請求項２３】
前記ＭＭＥが前記第１のメッセージを前記Ｓ−ＧＷに送信する前に、前記方法はさらに、
前記ＭＭＥにより、第２のメッセージを前記Ｓ−ＧＷに送信するステップであって、前記第２のメッセージは、前記ＭＭＥと前記Ｓ−ＧＷとの間のＳ１１インタフェースデータプレーンベアラをリリースするように前記Ｓ−ＧＷに指示するために使用される、ステップと、
前記ＭＭＥにより、第２の応答メッセージを前記Ｓ−ＧＷから受信するステップと
を含む、請求項１９〜２２のいずれか一項に記載の方法。
【請求項２４】
前記ＭＭＥは、前記第１の識別子を前記ｅＮＢに送信する、
請求項１９〜２３のいずれか一項に記載の方法。
【請求項２５】
コンピュータによって実行されるとき、前記コンピュータに、請求項８〜２４のいずれか一項に記載の方法を実行させる命令を含むコンピュータ読み取り可能な記録媒体。
【請求項２６】
請求項８〜２４のいずれか一項に記載の方法をコンピュータに実行させるプログラム。
【国際調査報告】
2019517756.tif 000013
2019517756.tif 000014
2019517756.tif 000015
2019517756.tif 000016